(57)【要約】【課題】  ホスト装置からネットワークｃに接続されている印刷装置の設定情報を書き込む。【解決手段】  記憶部１に対する設定情報、又は更新設定情報の書き込みの可否を予め設定するための設定スイッチ２が印刷装置の内部に設けられている。この設定スイッチ２がＯＮされている印刷装置のみが、ホスト装置からブロードキャスト送信によって問い合わせが有ったときに応答する。従って、ホスト装置は、ネットワークｃに接続されている全ての印刷装置の中から所定の印刷装置を選択して設定情報を送信するのでは無く、書き込み可と設定されている、限られた印刷装置の中から所定の印刷装置を選択して設定情報を送信することになる。【選択図】        図１
2005153199.tif 000002
【特許請求の範囲】
【請求項１】
ネットワークに接続されたホスト装置と印刷装置とを有する印刷システムであって、
前記印刷装置は、
該印刷装置の設定情報を記憶する設定情報記憶手段と、
前記ホスト装置が送信する送信設定情報を前記印刷装置の設定情報として前記設定情報記憶手段に書き込むことの可否を予め設定する書き込み可否設定手段と、
前記ホスト装置から前記書き込むことの可否についての問い合わせに応じて、応答の要否を前記書き込み可否設定手段の前記設定に基づいて判定する判定手段と、
該判定手段の判定結果に基づいて前記ホスト装置へ応答する応答手段と、
前記ホスト装置から前記送信設定情報を受け入れて前記印刷装置の設定情報として前記設定情報記憶手段に書き込む設定情報書き込み手段とを備え、
前記ホスト装置は、
前記応答のあった印刷装置に前記送信設定情報を送信する設定情報送信手段を備えることを特徴とする印刷システム。
【請求項２】
ネットワークに接続されたホスト装置と印刷装置とを有する印刷システムであって、
前記印刷装置は、
該印刷装置の設定情報を記憶する設定情報記憶手段と、
前記ホスト装置が送信する送信設定情報を前記印刷装置の更新設定情報として前記設定情報記憶手段に書き込むことの可否を予め設定する書き込み可否設定手段と、
前記ホスト装置から前記書き込むことの可否についての問い合わせに応じて、応答の要否を前記書き込み可否設定手段の前記設定に基づいて判定する判定手段と、
該判定手段の判定結果に基づいて前記ホスト装置へ応答する応答手段と、
前記ホスト装置から前記送信設定情報を受け入れて前記印刷装置の更新設定情報として前記設定情報記憶手段に書き込む設定情報書き込み手段とを備え、
前記ホスト装置は、
前記応答のあった印刷装置に前記更新設定情報を送信する更新設定情報送信手段を備えることを特徴とする印刷システム。
【請求項３】
請求項１又は請求項２に記載の印刷システムに於いて、
前記印刷装置は、
前記書き込み可否設定手段に於ける前記書き込むことの可否についての設定から、経過時間を測る計時手段と、
前記経過時間と予め定められている所定の時間とを比較する比較部とを更に備え、
前記判定手段は、前記書き込み可否設定手段が設定する前記書き込みの可否と、前記比較部の比較結果に基づいて前記応答の要否を決定することを特徴とする印刷システム。
【請求項４】
請求項１又は請求項２に記載の印刷システムに於いて、
前記印刷装置は、
前記書き込み可否設定手段に於ける前記書き込むことの可否についての設定から、経過時間を測る計時手段と、
前記経過時間と、予め定められている所定の時間とを比較する比較部と、
前記書き込み可否設定手段が設定する前記書き込みの可否と、前記比較部の比較結果に基づいて前記設定情報書き込み手段が前記送信設定情報を前記設定情報記憶手段へ書き込むのを制限する書き込み制限手段とを更に備えることを特徴とする印刷システム。
【請求項５】
請求項１から請求項４の何れか１項に記載の印刷システムに於いて、
前記印刷装置は、
前記応答手段が応答したホスト装置の応答先アドレスを保持するアドレス保持部と、
前記応答先アドレスと前記設定情報書き込み手段が受け入れた送信設定情報の送信元アドレスとを比較するアドレス比較部と、
該アドレス比較部の比較結果に基づいて前記設定情報書き込み手段が前記受け入れた送信設定情報を前記設定情報記憶手段へ書き込むことのを制限する書き込み制限手段とを更に備えることを特徴とする印刷システム。
【請求項６】
ネットワークに接続される印刷装置であって、
該印刷装置の設定情報を記憶する設定情報記憶手段と、
前記ネットワークに接続された外部装置により前記設定情報記憶手段に記憶された設定情報に対する変更可否情報を設定する変更可否設定手段と、
前記外部装置から前記設定情報の変更要求があると、前記変更可否設定手段に設定された変更可否情報に基づいて前記外部装置に対する応答の要否を判断する判定手段と、
該判定手段により応答が必要と判定されると前記外部装置へ応答する応答手段と、
前記外部装置から受信された設定変更情報に基づいて前記設定情報記憶手段の内容を変更する設定情報変更手段とを備えることを特徴とする印刷装置。
【発明の詳細な説明】
【技術分野】
【０００１】
本発明は、ネットワークにより接続されたホスト装置と印刷装置とからなる印刷システムに関するものである。
【背景技術】
【０００２】
イーサーネット（登録商標）等のように固有のアドレスを持っているネットワークに接続されているホスト装置と印刷装置とから成る印刷システムに於いて、ホスト装置が、印刷装置の所持する所定のメモリに対して、印刷条件（例えば印刷濃度等）やＩＰアドレス等の設定情報を書き込む場合がある。特に、近年パネル装置を有しない印刷装置が多く出回っていることから、ホスト装置からの書き込み、あるいは再書き込みが多くなっている。かかる場合に、従来の技術では、ホスト装置からネットワークに接続されている全ての端末装置（印刷装置に限らない）に対してブロードキャスト送信によって印刷条件に関する設定情報の書き込みが可能であるか否かの問い合わせを行う。これに対して、印刷装置は、印刷条件の設定、又は、更新が可能なので、応答する。
【０００３】
即ち、ネットワークに接続されている全ての印刷装置から応答が返ってくる。一方他の端末からは応答がかえって来ない。これら応答のあった全ての印刷装置の中から印刷条件やＩＰアドレス等の設定、又は、更新が必要になっている印刷装置が選択され、ホスト装置から設定情報が送信される。このようにして所定の印刷装置の印刷条件やＩＰアドレス等が設定、又は、更新される。しかし、上記ブロードキャスト送信によって返ってくる応答は、ホスト装置のディスプレイ上に各々の印刷装置に固有のアドレスがリストアップされるだけであり、そのリストには所在場所などの情報は含まれていない。従って、設定、又は、更新すべき印刷装置の特定が難しく、対象となる印刷装置を間違えて、他の印刷装置に設定情報を送信してしまうこともあった。
【０００４】
この改善策として、対象となる印刷装置に対してｐｉｎｇコマンドを送信し、その応答を確認したあと設定情報、又は、更新情報を送信することによって、対象となる印刷装置の間違いを防止する技術等が公開されている（例えば特許文献１参照）。
ここでｐｉｎｇコマンドとは、設定情報を送信する前に、相手方（ここでは設定、又は、更新すべき印刷装置）に所定のメッセージを送信し、その応答を確認するコマンドである。
【特許文献１】特開平１１−２４９９８９号公報（要約）
【発明の開示】
【発明が解決しようとする課題】
【０００５】
上記特許文献１では、ブロードキャスト送信し、その応答を受け入れる。更にｐｉｎｇコマンドを送信し、その応答を確認するため、操作が面倒であり、且つ、設定又は更新に要する時間が長くなるという解決課題が残されていた。
【課題を解決するための手段】
【０００６】
本発明では、印刷装置内部の所定のメモリ（記憶部）に対する設定情報、又は更新設定情報の書き込みの可否を予め設定するための、書き込み可否設定手段が印刷装置に設けられている。この書き込み可否設定手段が、設定情報の書き込みを可と設定している印刷装置のみが、ホスト装置から上記ブロードキャスト送信によって問い合わせが有ったときに応答する。従って、ホスト装置は、上記ネットワークに接続されている全ての印刷装置の中から所定の印刷装置を選択して設定情報を送信するのでは無く、書き込み可と設定されている、限られた印刷装置の中から所定の印刷装置を選択して設定情報を送信することになる。
【発明の効果】
【０００７】
本発明では、印刷装置に、ホスト装置が送信する送信設定情報を該印刷装置の設定情報として所定のメモリ（記憶部）に書き込むことの可否を予め設定する書き込み可否設定手段を設け、ホスト装置からブロードキャスト送信を介して印刷条件の設定又は更新が可能であるか否かの問い合わが有ったときに、書き込み可否設定手段が書き込み可と設定されている印刷装置のみが応答する。ホスト装置は、これらの限られた印刷装置の中から所定の印刷装置を選択して設定情報を送信すれば良い。従って、相手方の特定が、正確、且つ、容易になるという効果を得る。更に、特定の印刷装置を設定情報書き込み不可と設定しておくことによってホスト装置によって無断で設定条件が設定又は更新されるのを防止出来るという効果をも得ることが出来る。
【発明を実施するための最良の形態】
【０００８】
ホスト装置からネットワークに接続されている所定の印刷装置に印刷条件などを設定、又は、更新する場合に於いて、所定の印刷装置の特定を正確、且つ、容易に実行するという目的を、印刷装置に設定スイッチを設け、予め印刷条件などの設定、又は、更新の可否を設定しておくだけで達成することができた。
【実施例１】
【０００９】
図１は、実施例１における印刷装置の構成図である。
図より、実施例１における印刷装置は、記憶部１と、設定スイッチ２と、判定部３と、応答部４と、通信部５と、印刷制御部６とを備える。
各構成要素の詳細について説明する前に、本発明のシステム構成について説明する。
【００１０】
図２は、本発明のシステム構成図である。
図に示すように、本発明による印刷システムは、ホスト装置ａ−１、ホスト装置ａ−２、ホストａ−３が、ネットワークｃを介して、印刷装置ｂ−１、印刷装置ｂ−２、印刷装置ｂ−３と接続されている。ここでは、説明の都合上ホスト装置及び印刷装置をそれぞれ３台に限定して記載してある。通常は、このほかに他の端末装置（図示していない）が多数接続されている。
【００１１】
ホスト装置ａ−１、ａ−２、ａ−３は、操作者が印刷ジョブを作成して印刷装置へ送出する端末装置であり通常ＰＣ（パーソナルコンピュータ）等が該当する。又、ホスト装置ａ−１、ａ−２、ａ−３は、印刷装置ｂ−１、ｂ−２、ｂ−３等に対してネットワークｃを介して設定情報（この設定情報を以後送信設定情報と記す。）を送信する設定情報送信手段を備える。
印刷装置ｂ−１、ｂ−２、ｂ−３は、ネットワークｃを介してホスト装置ａ−１、ａ−２、ａ−３から印刷ジョブを受け入れて印刷画像を出力する端末装置であり、プリンタ等が該当する。
ネットワークｃは、通信ネットワークを表しているが、通常は、ＬＡＮ（ローカルエリアネットワーク）等、小規模のエリアに敷設されている通信回線が該当する。
【００１２】
本発明は、かかる印刷システムに於いて、一例としてホスト装置ａ−１から印刷装置ｂ−１に対して、印刷条件（例えば印刷濃度等）やＩＰアドレスの、設定、又は、更新を行う場合に適用される。特に、近年パネル装置を有しない印刷装置が多く出回っていることから、ホスト装置から印刷装置に対して印刷条件（例えば印刷濃度等）やＩＰアドレスの設定、又は更新することが多くなっている。
【００１３】
図１に戻って、印刷装置ｂ−１の各構成要素の詳細について説明する。
記憶部１は、印刷装置ｂ−１の設定情報を記憶しておく不揮発性のメモリである。ここで設定情報には、省電力モードの切換時間、印刷濃度等の一般的印刷条件と、該当する印刷装置ｂ−１に固有のＩＰ番号等が含まれている。この記憶部１が、請求項中に於ける設定情報記憶手段に該当する。
【００１４】
設定スイッチ２は、ホスト装置ａ−１が送信する送信設定情報を印刷装置ｂ−１の設定情報として記憶部１に書き込むことの可否を予め操作者が設定するスイッチである。即ち、このスイッチを用いて印刷装置ｂ−１の操作者は、ホスト装置ａ−１に対して設定情報書き込みの可否について、予め意思表示しておくスイッチである。この設定スイッチ２が、請求項中に於ける受け入れ可否設定手段に該当する。
【００１５】
判定部３は、上記ホスト装置ａ−１から設定情報書き込みの可否についての問い合わせに応じて、応答の要否を上記設定スイッチ２の設定に基づいて判断する部分である。上記ホスト装置ａ−１からの問い合わせは、通常ブロードキャスト送信によって実行される。このブロードキャスト送信を受け入れたときに上記設定スイッチ２がオンされていれば、即ち、指示情報（ｓ１）が１になっていれば応答必要と判断し、上記設定スイッチ２がオフされていれば、即ち、指示情報（ｓ１）が０になっていれば応答必要なしと判断する。無論スイッチのオンとオフを逆設定してもかまわない。この判定部３が請求項中に於ける判定手段に該当する。
【００１６】
応答部４は、ホスト装置ａ−１から設定情報書き込みの可否についての問い合わせがあったときに判定部３の判定結果（応答判断（ｓ３））に基づいてホスト装置ａ−１へ応答する部分である。即ち、判定部３が応答必要と判断した場合には、応答情報（ｓ４）を通信部５を介してホスト装置ａ−１へ返信し、判定部３が応答必要なしと判断した場合にはブロードキャスト送信を無視することになる。この応答部４が、請求項中に於ける応答手段に該当する。
【００１７】
通信部５は、ネットワークｃから印刷装置ｂ−１宛の情報と、ブロードキャスト送信とを受け入れる部分であり、且つ、印刷装置ｂ−１からホスト装置ａ−１へ応答情報（ｓ４）等をネットワークｃへ送出する部分でもある。
印刷制御部６は、印刷装置ｂ−１を制御するＣＰＵ（中央演算制御装置）であり、特に本具体例では、設定スイッチ２、判定部３、応答部４、通信部５とを制御し、且つ、コンピュータ読み取り可能なプログラムに基づいてホスト装置ａ−１から受け入れた送信設定情報を記憶部１へ書き込む、設定情報書き込み手段６−１を実行する部分である。尚、上記プログラムは、印刷装置ｂ−１に備えるＲＯＭ（リードオンリメモリ）（図示していない）に記憶される。
【００１８】
次に実施例１における印刷システムの動作について説明する。
図３は、実施例１に於けるシーケンス説明図である。
図に於いて横軸にホスト装置ａ−１と、印刷装置ｂ−１、印刷装置ｂ−２との関係を表し、縦軸に時系列を表している。
【００１９】
時刻Ｔ１０１
印刷装置ｂ−１の設定スイッチ２（図２）がＯＮされる。このスイッチを用いて印刷装置ｂ−１（図１）は、ホスト装置ａ−１（図１）に対して設定情報の書き込み可である旨、予め意思表示したことになる。尚、ここでは印刷装置ｂ−２（図１）の設定スイッチは、ＯＦＦのままである。
【００２０】
時刻Ｔ１０２
ホスト装置ａ−１（図２）は、ブロードキャスト送信によってネットワークｃ（図１）に接続されている全ての端末装置に対して印刷条件等の設定又は更新が可能であるか否かの問い合せを行う。ここでは、ネットワークｃ（図１）に接続されている端末として、印刷装置ｂ−１（図１）、印刷装置ｂ−２（図１）のみが表されている。
【００２１】
時刻Ｔ１０３
印刷装置ｂ−１（図１）及び印刷装置ｂ−２（図１）が上記問い合わせを受信する。
時刻Ｔ１０４
印刷装置ｂ−２（図１）は、設定スイッチが、ＯＦＦのままなのでブロードキャスト送信による問い合せを無視する。
印刷装置ｂ−１（図１）は、設定スイッチが、ＯＮされているので内部処理の後設定情報の書き込み可である旨の応答情報（ｓ４）をホスト装置ａ−１（図１）へ返信する。この応答情報（ｓ４）には印刷装置ｂ−１（図１）を特定する情報等が含まれている。
【００２２】
時刻Ｔ１０５
ホスト装置ａ−１（図１）は、印刷装置ｂ−１（図１）から設定情報の書き込み可である旨の応答情報（ｓ４）を受け入れると、定められたプログラムに従って内部処理を実行する。このとき他の端末装置（印刷装置ｂ−２（図１）を含む）を認識しない。
【００２３】
時刻Ｔ１０６
ホスト装置ａ−１（図１）は、設定情報受け入れ可と設定されている印刷装置ｂ−１（図１）のみに対して設定情報（送信設定情報）を送信する。
時刻Ｔ１０７
印刷装置ｂ−１（図１）は、送信設定情報を受け入れると、この送信設定情報を自己の設定情報として記憶部１（図１）に書き込む。以後、印刷装置ｂ−１（図１）は、この設定情報に基づいて運用される。
【００２４】
以上、時系列的に説明した本具体例の動作をホスト装置ａ−１（図１）と印刷装置ｂ−１（図１）に分けて、それぞれのフローチャートを用いて説明する。
図４は、ホスト装置の動作のフローチャートである。
ステップＨ１０１
ホスト装置ａ−１（図１）は、ブロードキャスト送信によってネットワークｃ（図１）に接続されている全ての端末装置に対して設定情報書き込みの可否について問い合せを行う。
【００２５】
ステップＨ１０２
ホスト装置ａ−１（図１）は、問い合わせを行った後、応答待ち時間の計時を行い、所定の時間が終了するとフローを終了する。
ステップＨ１０３
ホスト装置ａ−１（図１）は、所定の時間内はステップＨ１０２とステップＨ１０３とを繰り返しながら応答を待ち、応答を受信した場合にはステップＨ１０４へ進む。
【００２６】
ステップＨ１０４
応答があった印刷装置ｂ−１（図１）へ設定情報を送信した後、ステップＨ１０２へ戻り、ステップＨ１０２〜ステップＨ１０４を繰り返す。即ち、上記所定の時間内に複数個の印刷装置へ設定情報を送信することもある。所定の時間経過後にフローを終了する。ここでホスト装置ａ−１（図１）が印刷装置ｂ−１（図１）へ送信する設定情報が請求項中に於ける送信設定情報に該当する。又、このステップＨ１０４が請求項中における設定情報送信手段に該当する。
【００２７】
図５は、実施例１に於ける印刷装置の動作フローチャートである。
ステップＰ１０１
印刷装置ｂ−１の設定スイッチ２（図１）がＯＮされる。このスイッチを用いて印刷装置ｂ−１（図１）は、ホスト装置ａ−１（図２）に対して設定情報を記憶部１（図１）へ書き込み可である旨、予め意思表示したことになる。
ステップＰ１０２
通信部５（図１）は、ホスト装置ａ−１（図２）からの問い合わせを待って待機し、問い合わせを受け入れると判定部３（図１）へ問い合わせ情報（ｓ２）を送ってステップＰ１０３へ進む。
【００２８】
ステップＰ１０３
判定部３（図１）は、問い合わせ情報（ｓ２）に対する判断を行うために指示情報（ｓ１）を参照する。指示情報（ｓ１）が１になっている場合に判定部３（図１）は、設定情報の書き込み可なので応答判断（ｓ３）を有効にしてステップＰ１０４へ進む。指示情報（ｓ１）が０になっている場合には設定情報の書き込み不可なので応答判断（ｓ３）を無効にしてフローを終了する。
【００２９】
ステップＰ１０４
応答部４（図１）は、応答判断（ｓ３）が有効なので応答情報（ｓ４）を通信部５（図１）へ送る。通信部５（図１）は応答情報（ｓ４）を通信部５（図１）を介してホスト装置ａ−１（図２）へ返信する。
ステップＰ１０５
通信部５（図１）は、ホスト装置ａ−１（図２）から送信設定情報の受け入れを待って待機し、送信設定情報を受け入れるとステップＰ１０６へ進む。
【００３０】
ステップＰ１０６
印刷制御部６は、通信部５（図１）から書き込み情報（ｓ５）を受け入れて記憶部１（図１）へ印刷装置ｂ−１（図１）の設定情報又は更新設定情報として書き込む。以後、印刷装置ｂ−１（図１）は、この設定情報によって運用される。このステップが設定情報書き込み手段６−１（図１）に該当する。
【００３１】
以上説明したように、実施例１によれば、設定スイッチ２（図１）を備えることによってホスト装置ａ−１（図２）から記憶部１（図１）に設定情報を書き込むことの可否についての問い合わせに対して、判定部３（図１）が設定スイッチ２（図１）のＯＮ・ＯＦＦを表している指示情報（ｓ１）を参照して判断し、応答の要ありとする印刷装置のみから応答が返信されるので、設定情報の設定又は更新をすべき印刷装置ｂ−１を確実に特定することが可能になるという効果を得る。
尚、以上の説明では、判定部３、及び応答部４を、専用のブロックとして説明したが本発明は、この例に限定されるものではない。即ち、判定部３、及び応答部４の双方、あるいは何れか一方がコンピュータ読み取り可能なプログラムによって制御される印刷制御部６（図１）の制御手段として構成されても良い。
【実施例２】
【００３２】
図６は、実施例２における印刷装置の構成図である。
図より、実施例２における印刷装置は、記憶部１と、設定スイッチ２と、応答部４と、通信部５と、印刷制御部６、計時部１１と、判定部１３とを備える。
実施例１との相違部分のみについて説明する。
【００３３】
計時部１１は、設定スイッチ２（書き込み可否設定手段）を設定した時刻を基準にして、その時刻から、経過時間を計時するタイマである。即ち、指示情報（ｓ１）が１になると計時を開始して時間内判断情報（ｓ６）を１にし、その時刻から予め定められた所定時間経過すると計時を停止し、時間内判断情報（ｓ６）を０にするタイマである。この計時部１１が請求項中の計時手段に該当する。
【００３４】
判定部１３は、上記ホスト装置ａ−１から設定情報を書き込むことの可否に関する問い合わせに応じて、応答の要否を上記設定スイッチ２の設定と、計時部１１が計時する経過時間とに基づいて判断する部分である。即ち、計時部１１が稼働している間（時間内判断情報（ｓ６）が１の間）にホスト装置ａ−１から問い合わせを受け入れたときに応答必要と判断して応答判断（ｓ３）を有効にし、上記計時部１１が停止している間（時間内判断情報（ｓ６）が０の間）にホスト装置ａ−１からの問い合わせを受け入れたときに応答必要無しと判断し、応答判断（ｓ３）を無効にする部分である。
他の構成要素は、全て実施例１と同様なので説明を省略する。
【００３５】
次に実施例２における印刷システムの動作について説明する。
図７は、実施例２に於ける書き込みを成功した場合のシーケンス説明図である。
図に於いて横軸にホスト装置ａ−１と、印刷装置ｂ−１、印刷装置ｂ−２との関係を表し、縦軸に時系列を表している。
【００３６】
時刻Ｔ２０１
印刷装置ｂ−１の設定スイッチ２（図６）がＯＮされる。このスイッチを用いて印刷装置ｂ−１（図６）は、ホスト装置ａ−１（図２）に対して設定情報の書き込み可である旨、予め意思表示したことになる。この時、計時部１１（図６）が計時を開始する。尚、ここでは印刷装置ｂ−２（図６）の設定スイッチは、ＯＦＦのままである。
【００３７】
時刻Ｔ２０２
ホスト装置ａ−１（図２）は、ブロードキャスト送信によってネットワークｃ（図６）に接続されている全ての端末装置に対して印刷条件等の設定又は更新が可能であるか否かの問い合せを行う。ここでは、ネットワークｃ（図６）に接続されている端末として、印刷装置ｂ−１（図６）、印刷装置ｂ−２（図６）のみが表されている。
【００３８】
時刻Ｔ２０３
印刷装置ｂ−１（図６）及び印刷装置ｂ−２（図６）が上記問い合わせを受信する。
時刻Ｔ２０４
印刷装置ｂ−２（図６）は、設定スイッチが、ＯＦＦのままなのでブロードキャスト送信問い合せを無視する。
印刷装置ｂ−１（図６）は、設定スイッチが、ＯＮされており、且つ、時刻Ｔ２０４までの経過時間が予め定められている所定の経過時間内なので、内部処理の後設定情報の書き込み可である旨の応答情報（ｓ４）をホスト装置ａ−１（図６）へ返信する。この応答情報（ｓ４）には印刷装置ｂ−１（図６）を特定するＩＰ番号等が含まれている。
【００３９】
時刻Ｔ２０５
ホスト装置ａ−１（図２）は、印刷装置ｂ−１（図６）から設定情報の書き込み可である旨の応答情報（ｓ４）を受け入れると、定められたプログラムに従って内部処理を実行する。このとき他の端末装置（印刷装置ｂ−２（図６）を含む）は、印刷条件の設定又は更新が不可能であることを認識する。
【００４０】
時刻Ｔ２０６
ホスト装置ａ−１（図２）は、設定情報受け入れ可と設定されている印刷装置ｂ−１（図６）のみに対して送信設定情報を送信する。
時刻Ｔ２０７
印刷装置ｂ−１（図６）は、送信設定情報を受け入れると、この時刻Ｔ２０７までの経過時間が予め定められている所定の経過時間内なので、この送信設定情報を自己の設定情報として記憶部１（図６）に書き込む。以後印刷装置ｂ−１（図６）は、この設定情報に基づいて運用される。
【００４１】
図８は、実施例２に於ける書き込みを失敗した場合のシーケンス説明図である。
図に於いて横軸にホスト装置ａ−１と、印刷装置ｂ−１、印刷装置ｂ−２との関係を表し、縦軸に時系列を表している。
時刻Ｔ２０８
印刷装置ｂ−１の設定スイッチ２（図６）がＯＮされる。このスイッチを用いて印刷装置ｂ−１（図６）は、ホスト装置ａ−１（図２）に対して設定情報の書き込み可である旨、予め意思表示したことになる。この時、計時部１１（図６）が計時を開始する。尚、ここでは印刷装置ｂ−２（図６）の設定スイッチは、ＯＦＦのままである。
【００４２】
時刻Ｔ２０９
この時刻で、設定スイッチ２（図６）がＯＮされてからの経過時間が、所定の時間を経過完了する。
時刻Ｔ２１０
ホスト装置ａ−１（図２）は、ブロードキャスト送信によってネットワークｃ（図６）に接続されている全ての端末装置に対して印刷条件の設定又は更新が可能であるか否かの問い合せを行う。ここでは、ネットワークｃ（図６）に接続されている端末として、印刷装置ｂ−１（図６）、印刷装置ｂ−２（図６）のみが表されている。
【００４３】
時刻Ｔ２１１
印刷装置ｂ−１（図６）及び印刷装置ｂ−２（図６）が上記問い合わせを受信する。
時刻Ｔ２１１
印刷装置ｂ−２（図６）は、設定スイッチが、ＯＦＦのままなのでブロードキャスト送信問い合せを無視する。
印刷装置ｂ−１（図６）は、設定スイッチが、ＯＮされているが、時刻Ｔ２１１までの経過時間が予め定められている所定の経過時間を越えているので、ブロードキャスト送信問い合せを無視する。以後印刷装置ｂ−１（図６）は、更新されていない設定情報によって運用される。
【００４４】
以上、時系列的に説明した本具体例の動作をホスト装置ａ−１（図２）と印刷装置ｂ−１（図６）に分けて、それぞれのフローチャートを用いて説明する。但し、ホスト装置ａ−１（図２）の動作は、実施例１と全く同様なので説明を省略し、ここでは、印刷装置ｂ−１（図６）の動作のみ説明する。
【００４５】
図９は、実施例２に於ける印刷装置の動作フローチャートである。
ステップＰ２０１
印刷装置ｂ−１の設定スイッチ２（図６）がＯＮされる。このスイッチを用いて印刷装置ｂ−１（図６）は、ホスト装置ａ−１（図２）に対して設定情報を記憶部１（図６）へ書き込み可である旨、予め意思表示したことになる。
ステップＳ２０２
計時部１１（図６）は、指示情報（ｓ１）が１（設定スイッチ２（図６）がＯＮ）なので、計時を開始して時間内判断情報（ｓ６）を１にする。
【００４６】
ステップＰ２０３
通信部５（図６）は、ホスト装置ａ−１（図２）からの問い合わせを待って待機し、問い合わせを受け入れると判定部１３（図６）へ問い合わせ情報（ｓ２）を送ってステップＰ２０４へ進む。
【００４７】
ステップＰ２０４
判定部１３（図６）は、問い合わせ情報（ｓ２）に対する判断を行うために時間内判断情報（ｓ６）を参照する。時間内判断情報（ｓ６）が１になっている場合に判定部１３（図６）は、設定情報の書き込み可なので応答判断（ｓ３）を有効にしてステップＰ２０５へ進む。時間内判断情報（ｓ６）が０になっている場合には設定情報の書き込み不可なので応答判断（ｓ３）を無効にしてフローを終了する。
【００４８】
ステップＰ２０５
応答部４（図６）は、応答判断（ｓ３）が有効なので応答情報（ｓ４）を通信部５（図６）へ送る。通信部５（図６）は応答情報（ｓ４）をネットワークｃ（図６）を介してホスト装置ａ−１（図２）へ返信する。
ステップＰ２０６
通信部５（図６）は、ホスト装置ａ−１（図２）から送信設定情報の受け入れを待って待機し、送信設定情報を受け入れるとステップＰ２０７へ進む。
【００４９】
ステップＰ２０７
印刷制御部６（図６）は、通信部５（図６）から書き込み情報（ｓ５）を受け入れて記憶部１（図６）へ印刷装置ｂ−１（図６）の設定情報として書き込む。以後印刷制御部６（図６）は、この設定情報によって運用される。このステップが設定情報書き込み手段６−１（図６）に該当する。
【００５０】
以上説明したように、実施例２では、計時部１１（図６）を備えて、ホスト装置ａ−１（図２）からの設定情報の書き込み可否の問い合わせが、時間内判断情報（ｓ６）が１のときのみ応答情報（ｓ４）を返信することとしたので、ホスト装置ａ−１（図２）からの設定情報の書き込み可能な時間を制限することが出来る。こうすることによって処理可能時間が無制限に長期化するのを防止することが出来るという効果を得る。
尚、以上の説明では、判定部１３、及び応答部４を、専用のブロックとして説明したが本発明は、この例に限定されるものではない。即ち、判定部１３、及び応答部４の双方、あるいは何れか一方がコンピュータ読み取り可能なプログラムによって制御される印刷制御部６（図６）の制御手段として構成されても良い。
【実施例３】
【００５１】
図１０は、実施例３における印刷装置の構成図である。
図より、実施例３における印刷装置は、記憶部１と、設定スイッチ２と、応答部４と、通信部５と、印刷制御部６と、計時部１１と、判定部１３と、ゲート１５とを備える。
実施例２との相違部分のみについて説明する。
【００５２】
ゲート１５は、上記ホスト装置ａ−１（図２）から受け入れた送信設定情報を記憶部１（図１０）へ書き込むことについて、上記設定スイッチ２の設定と、計時部１１が計時する経過時間とに基づいて制限する部分である。即ち、計時部１１が稼働している間（時間内判断情報（ｓ６）が１の間）に上記ホスト装置ａ−１（図２）から受け入れた送信設定情報を記憶部１（図１０）へ書き込むことを可能にし、上記計時部１１が停止している間（時間内判断情報（ｓ６）が０の間）に上記ホスト装置ａ−１（図２）から受け入れた送信設定情報を記憶部１（図１０）へ書き込むことを制限する部分である。請求項中における書き込み制限手段に該当する。
他の構成要素は、全て実施例２と同様なので説明を省略する。
【００５３】
次に実施例３における印刷システムの動作について説明する。
図１１は、実施例３に於ける書き込みを成功した場合のシーケンスの説明図である。
図に於いて横軸にホスト装置ａ−１と、印刷装置ｂ−１、印刷装置ｂ−２との関係を表し、縦軸に時系列を表している。
【００５４】
時刻Ｔ３０１
印刷装置ｂ−１の設定スイッチ２（図１０）がＯＮされる。このスイッチを用いて印刷装置ｂ−１（図１０）は、ホスト装置ａ−１（図１０）に対して設定情報の書き込み可である旨、予め意思表示したことになる。この時、計時部１１（図１０）が計時を開始する。尚、ここでは印刷装置ｂ−２（図１０）の設定スイッチは、ＯＦＦのままである。
【００５５】
時刻Ｔ３０２
ホスト装置ａ−１（図２）は、ブロードキャスト送信によってネットワークｃ（図１０）に接続されている全ての端末装置に対して印刷条件の設定又は更新が可能であるか否かの問い合せを行う。ここでは、ネットワークｃ（図１０）に接続されている端末として、印刷装置ｂ−１（図１０）、印刷装置ｂ−２（図１０）のみが表されている。
【００５６】
時刻Ｔ３０３
印刷装置ｂ−１（図１０）及び印刷装置ｂ−２（図１０）が上記問い合わせを受信する。
時刻Ｔ３０４
印刷装置ｂ−２（図１０）は、設定スイッチが、ＯＦＦのままなのでブロードキャスト送信による問い合せを無視する。
印刷装置ｂ−１（図１０）は、設定スイッチが、ＯＮされており、且つ、時刻Ｔ３０４までの経過時間が予め定められている所定の経過時間内なので、内部処理の後設定情報の書き込み可である旨の応答情報（ｓ４）をホスト装置ａ−１（図２）へ返信する。この応答情報（ｓ４）には印刷装置ｂ−１（図１０）を特定するＩＰ番号等が含まれている。
【００５７】
時刻Ｔ３０５
ホスト装置ａ−１（図２）は、印刷装置ｂ−１（図１０）から設定情報の書き込み可である旨の応答情報（ｓ４）を受け入れると、定められたプログラムに従って内部処理を実行する。このとき他の端末装置（印刷装置ｂ−２（図１０）を含む）は、印刷条件の設定又は更新が不可能であることを認識する。
【００５８】
時刻Ｔ３０６
ホスト装置ａ−１（図２）は、設定情報受け入れ可と設定されている印刷装置ｂ−１（図１０）のみに対して設定情報（送信設定情報）を送信する。
時刻Ｔ３０７
印刷装置ｂ−１（図１０）は、送信設定情報を受け入れると、この時刻Ｔ３０７までの経過時間が予め定められている所定の経過時間内なので、この送信設定情報を自己の設定情報として記憶部１（図１０）に書き込む。以後、印刷装置ｂ−１（図１０）は、この設定情報に基づいて運用される。
【００５９】
図１２は、実施例３に於ける書き込みを失敗した場合のシーケンス説明図である。
図に於いて横軸にホスト装置ａ−１と、印刷装置ｂ−１、印刷装置ｂ−２との関係を表し、縦軸に時系列を表している。
【００６０】
時刻Ｔ３０８
印刷装置ｂ−１の設定スイッチ２（図１０）がＯＮされる。このスイッチを用いて印刷装置ｂ−１（図１０）は、ホスト装置ａ−１（図１０）に対して設定情報の書き込み可である旨、予め意思表示したことになる。この時、計時部１１（図１０）が計時を開始する。尚、ここでは印刷装置ｂ−２（図１０）の設定スイッチは、ＯＦＦのままである。
【００６１】
時刻Ｔ３０９
ホスト装置ａ−１（図２）は、ブロードキャスト送信によってネットワークｃ（図１０）に接続されている全ての端末装置に対して印刷条件の設定又は更新が可能であるか否かの問い合せを行う。ここでは、ネットワークｃ（図１０）に接続されている端末として、印刷装置ｂ−１（図１０）、印刷装置ｂ−２（図１０）のみが表されている。
【００６２】
時刻Ｔ３１０
印刷装置ｂ−１（図１０）及び印刷装置ｂ−２（図１０）が上記問い合わせを受信する。
時刻Ｔ３１１
印刷装置ｂ−２（図１０）は、設定スイッチが、ＯＦＦのままなのでブロードキャスト送信による問い合せを無視する。
印刷装置ｂ−１（図１０）は、設定スイッチが、ＯＮされており、且つ、時刻Ｔ３０４までの経過時間が予め定められている所定の経過時間内なので、内部処理の後設定情報の書き込み可である旨の応答情報（ｓ４）をホスト装置ａ−１（図１０）へ返信する。この応答情報（ｓ４）にはホスト装置ａ−１（図１０）を特定するＩＰ番号等が含まれている。
【００６３】
時刻Ｔ３１２
ホスト装置ａ−１（図２）は、印刷装置ｂ−１（図１０）から設定情報の書き込み可である旨の応答情報（ｓ４）を受け入れると、定められたプログラムに従って内部処理を実行する。このとき他の端末装置（印刷装置ｂ−２（図１０）を含む）は、印刷条件の設定又は更新が不可能であることを認識する。
【００６４】
時刻Ｔ３１３
この時刻で、設定スイッチ２（図６）がＯＮされてからの経過時間が、所定の時間を経過完了する。
時刻Ｔ３１４
ホスト装置ａ−１（図２）は、設定情報受け入れ可と設定されている印刷装置ｂ−１（図１０）のみに対して送信設定情報を送信する。しかし、ゲート１５（図１０）は、書き込み情報（ｓ５）が、記憶部１（図１０）に書き込まれるのを制限する。以後、ホスト装置ａ−１（図２）は、更新されていない設定情報によって運用される。
【００６５】
以上、時系列的に説明した本具体例の動作をホスト装置ａ−１（図２）と印刷装置ｂ−１（図１０）に分けて、それぞれのフローチャートを用いて説明する。但し、ホスト装置ａ−１（図２）の動作は、実施例１と全く同様なので説明を省略し、ここでは、印刷装置ｂ−１（図１０）の動作のみ説明する。
【００６６】
図１３は、実施例３に於ける印刷装置の動作フローチャートである。
ステップＰ３０１
印刷装置ｂ−１の設定スイッチ２（図１０）がＯＮされる。このスイッチを用いて印刷装置ｂ−１（図１０）は、ホスト装置ａ−１（図２）に対して設定情報を記憶部１（図１０）へ書き込み可である旨、予め意思表示したことになる。
ステップＰ３０２
計時部１１（図１０）は、指示情報（ｓ１）が１（設定スイッチ２（図１０）がＯＮ）なので計時を開始し時間内判断情報（ｓ６）を１にする。
【００６７】
ステップＰ３０３
通信部５（図１０）は、ホスト装置ａ−１（図２）からの問い合わせを待って待機し、問い合わせを受け入れると判定部１３（図１０）へ問い合わせ情報（ｓ２）を送ってステップＰ３０４へ進む。
【００６８】
ステップＰ３０４
判定部１３（図１０）は、問い合わせ情報（ｓ２）に対する判断を行うために時間内判断情報（ｓ６）を参照する。時間内判断情報（ｓ６）が１になっている場合に判定部１３（図１０）は、設定情報の書き込み可なので応答判断（ｓ３）を有効にしてステップＰ３０５へ進む。時間内判断情報（ｓ６）が０になっている場合には設定情報の書き込み不可なので応答判断（ｓ３）を無効にしてフローを終了する。
【００６９】
ステップＰ３０５
応答部４（図１０）は、応答判断（ｓ３）が有効なので応答情報（ｓ４）を通信部５（図１０）へ送る。通信部５（図１０）は応答情報（ｓ４）をネットワークｃ（図１０）を介してホスト装置ａ−１（図２）へ返信する。
ステップＰ３０６
通信部５（図１０）は、ホスト装置ａ−１（図２）から送信設定情報の受け入れを待って待機し、送信設定情報を受け入れるとステップＰ３０７へ進む。
【００７０】
ステップＰ３０７
通信部５（図１０）は、ホスト装置ａ−１（図２）から送信設定情報を受け入れるとゲート１５（図１０）に向けて送信設定情報を書き込み情報（ｓ５）として送出する。ゲート１５（図１０）は、書き込み情報（ｓ５）を受け入れると、時間内判断情報（ｓ６）を参照し、１になっている場合には書き込み情報を有効として記憶部１（図１０）へ送る。又、ゲート１５（図１０）は、書き込み情報（ｓ５）を受け入れると、時間内判断情報（ｓ６）を参照し、０になっている場合には書き込み情報を無効として廃棄する。
【００７１】
ステップＰ３０８
印刷制御部６の設定情報書き込み手段６−１（図１０）は、有効にされた書き込み情報（ｓ５）を記憶部１（図６）へ印刷装置ｂ−１（図６）の設定情報として書き込む。以後印刷装置ｂ−１（図１０）は、この設定情報によって運用される。このステップが設定情報書き込み手段６−１（図６）に該当する。
【００７２】
以上説明したように、実施例３では、ゲート１５（図１０）を備えて、ホスト装置ａ−１（図２）からの送信設定情報は、時間内判断情報（ｓ６）が１のときのみ記憶部１（図６）に書き込まれることとしたのでホスト装置ａ−１（図２）からの設定情報の書き込み可能な時間を制限することが出来る。こうすることによって設定情報の書き込み可否の問い合わせ後であって、送信設定情報を受け入れる前に何らかの理由によって処理が中断された場合等に於いて、この中断された処理が、その後の処理に与える影響を取り除くことが出来という効果を得る。
尚、以上の説明では、判定部１３、応答部４、ゲート１５を、専用のブロックとして説明したが本発明は、この例に限定されるものではない。即ち、判定部１３、応答部４、ゲート１５の全て、あるいは何れかがコンピュータ読み取り可能なプログラムによって制御される印刷制御部６（図１０）の制御手段として構成されても良い。
【実施例４】
【００７３】
図１４は、実施例４における印刷装置の構成図である。
図より、実施例４における印刷装置は、記憶部１と、設定スイッチ２と、応答部４と、通信部５と、印刷制御部６、判定部３と、ゲート１５と、アドレス保持部１７と、アドレス比較部１９とを備える。
実施例３との相違部分のみについて説明する。
【００７４】
アドレス保持部１７は、設定情報書き込みの可否についての問い合わせ送信してきたホスト装置（ここではホストａ−１（図２））であって、応答情報（ｓ４）を返信したホスト装置（ここではホストａ−１（図２））のアドレスを応答先アドレスとして一時保持しておくメモリである。
アドレス比較部１９は、送信設定情報の送信元のアドレスと上記アドレス保持部１７に保持されている応答先アドレスとを比較、両者が一致した場合のみ一致情報（ｓ９）をゲート１５へ送る部分である。
他の構成要素は、実施例３の構成要素と全く同様なので説明を省略する。
【００７５】
次に実施例４における印刷システムの動作について説明する。
図１５は、実施例４に於けるシーケンスの説明図である。
図に於いて横軸にホスト装置ａ−１と、ホスト装置ａ−２と、印刷装置ｂ−１、との関係を表し、縦軸に時系列を表している。
【００７６】
時刻Ｔ４０１
印刷装置ｂ−１の設定スイッチ２（図１４）がＯＮされる。このスイッチを用いて印刷装置ｂ−１（図１４）は、ホスト装置ａ−１（図２）又はホスト装置ａ−２（図２）に対して設定情報の書き込み可である旨、予め意思表示したことになる。
【００７７】
時刻Ｔ４０２
ホスト装置ａ−１（図２）は、ブロードキャスト送信によってネットワークｃ（図１４）に接続されている全ての端末装置に対して印刷条件の設定又は更新が可能であるか否かの問い合せを行う。ここでは、ネットワークｃ（図１４）に接続されている端末として、印刷装置ｂ−１（図１４）、ホスト装置ａ−２（図２）のみが表されている。
【００７８】
時刻Ｔ４０３
印刷装置ｂ−１（図１４）が上記問い合わせを受信する。
時刻Ｔ４０４
印刷装置ｂ−１（図１４）は、設定スイッチが、ＯＮされているので、内部処理の後設定情報の書き込み可である旨の応答情報（ｓ４）をホスト装置ａ−１（図２）へ返信する。この応答情報（ｓ４）には印刷装置ｂ−１（図１）を特定するＩＰ番号等が含まれている。このとき応答部４（図１４）は、応答情報（ｓ４）の送り先であるホスト装置ａ−１（図２）のアドレスを応答先アドレス（ｓ７）としてアドレス保持部１７へ一時保持する。
【００７９】
時刻Ｔ４０５
ホスト装置ａ−１（図２）は、印刷装置ｂ−１（図１０）から設定情報の書き込み可である旨の応答情報（ｓ４）を受け入れると、定められたプログラムに従って内部処理を実行する。
【００８０】
時刻Ｔ４０６
印刷装置ｂ−１（図１４）は、印刷条件の設定又は更新が可能であるか否かの問い合せをし、且つ、応答情報（ｓ４）を返信したるてきたホスト装置ａ−１（図２）とは異なるホスト装置ａ−２（図２）から、送信設定情報を受け入れる。このとき、印刷装置ｂ−１（図１４）は、送信設定情報を送信してきたホスト装置ａ−２（図２）の送信先アドレスとアドレス保持部１７（図１４）に一時保持されている応答先アドレス（ｓ７）が異なるのでホスト装置ａ−２（図２）から受け入れた送信設定情報を廃棄する。
【００８１】
時刻Ｔ４０７
ホスト装置ａ−１（図２）は、設定情報受け入れ可と設定されている印刷装置ｂ−１（図１４）に対して送信設定情報を送信する。
時刻Ｔ４０８
印刷装置ｂ−１（図１４）は、送信設定情報を受け入れると、この送信設定情報を自己の設定情報として記憶部１（図１４）に書き込む。以後印刷装置ｂ−１（図１４）は、この設定情報で運用される。
【００８２】
図１６は、実施例４に於ける印刷装置の動作フローチャートである。
ステップＰ４０１
印刷装置ｂ−１の設定スイッチ２（図１４）がＯＮされる。このスイッチを用いて印刷装置ｂ−１（図１４）は、ホスト装置ａ−１（図２）に対して設定情報を記憶部１（図１０）へ書き込み可である旨、予め意思表示したことになる。
【００８３】
ステップＰ４０２
通信部５（図１４）は、ホスト装置ａ−１（図２）からの問い合わせを待って待機し、問い合わせを受け入れると判定部３（図１４）へ問い合わせ情報（ｓ２）を送ってステップＰ４０３へ進む。
【００８４】
ステップＰ４０３
判定部３（図１４）は、問い合わせ情報（ｓ２）に対する判断を行うために指示情報（ｓ１）を参照する。指示情報（ｓ１）が１になっている場合に判定部３（図１４）は、設定情報の書き込みが可なので応答判断（ｓ３）を有効にしてステップＰ４０４へ進む。指示情報（ｓ１）が０になっている場合には設定情報の書き込みが不可なので応答判断（ｓ３）を無効にしてフローを終了する。
【００８５】
ステップＰ４０４
応答部４（図１４）は、応答判断（ｓ３）が有効なので応答情報（ｓ４）を通信部５（図１４）へ送る。通信部５（図１４）は応答情報（ｓ４）をネットワークｃ（図１４）を介してホスト装置ａ−１（図２）へ返信する。
ステップＰ４０５
応答部４（図１４）は、応答情報（ｓ４）の送り先であるホスト装置ａ−１（図２）のアドレスを応答先アドレス（ｓ７）としてアドレス保持部１７（図１４）へ一時保持する。
【００８６】
ステップＰ４０６
通信部５（図１４）は、ホスト装置ａ−１（図２）からの送信設定情報の受け入れを待って待機し、送信設定情報（ホスト装置ａ−１（図２）からの送信設定情報に限らない）を受け入れると、その送信元アドレス（ｓ８）をアドレス比較部１９（図１４）へ送ってステップＰ４０７へ進む。
ステップＰ４０７
アドレス比較部１９（図１４）は、受け入れた送信元アドレス（ｓ８）と、アドレス保持部１７（図１４）に一時保持されている応答先アドレス（ｓ７）とを比較し、一致した場合には一致情報（ｓ９）をゲート１５（図１４）へ送ってステップＰ４０８へ進み、一致しなかった場合には一致情報（ｓ９）を送出しないでステップＰ４０６へ戻る。
【００８７】
ステップＰ４０８
ゲート１５（図１４）は、一致情報（ｓ９）を受け入れると書き込み情報（ｓ５）を有効にして記憶部１（図１４）へ送り、印刷制御部６の設定情報書き込み手段６−１（図１４）は、有効にされた書き込み情報（ｓ５）を記憶部１（図６）へ印刷装置ｂ−１（図６）の設定情報として書き込む。以後印刷装置ｂ−１（図１４）は、この設定情報によって運用される。このステップが設定情報書き込み手段６−１（図６）に該当する。
【００８８】
以上説明したように、実施例４では、印刷装置ｂ−１（図６）は、アドレス保持部１７（図１４）と、アドレス比較部１９（図１９）を備えて、記憶部１（図１０）へ設定情報を書き込むことの可否について問い合わせてきたホスト装置ａ−１（図２）から受け入れた送信設定情報のみを有効として記憶部１（図１０）へ書き込み、問い合わせてきたホスト装置ａ−１（図２）以外から受け入れた送信設定情報を廃棄する。こうすることによって関係のないホスト装置ａ−１（図２）によって設定情報が更新されるのを防止することが出来るという効果を得る。
尚、以上の説明では、判定部１３、応答部４、ゲート１５、アドレス比較部１９を、専用のブロックとして説明したが本発明は、この例に限定されるものではない。即ち、判定部１３、応答部４、ゲート１５、アドレス比較部１９の全て、あるいは何れかがコンピュータ読み取り可能なプログラムによって制御される印刷制御部６（図１０）の制御手段として構成されても良い。
【産業上の利用可能性】
【００８９】
上記全ての実施例についての説明では、設定スイッチを操作者が直接設定する場合のみについて説明したが、本発明は、この例に限定されるものではない。即ち、設定スイッチをコンピュータ読み取り可能なプログラムによって制御される印刷制御部の制御手段として構成することも可能である。かかる構成を採用した場合には、設定スイッチの設定をネットワーク経由で実行することも可能になる。
【図面の簡単な説明】
【００９０】
【図１】実施例１における印刷装置の構成図である。
【図２】本発明のシステム構成図である。
【図３】実施例１に於けるシーケンス説明図である。
【図４】ホスト装置の動作のフローチャートである。
【図５】実施例１に於ける印刷装置の動作フローチャートである。
【図６】実施例２における印刷装置の構成図である。
【図７】実施例２に於ける書き込みを成功した場合のシーケンス説明図である。
【図８】実施例２に於ける書き込みを失敗した場合のシーケンス説明図である。
【図９】実施例２に於ける印刷装置の動作フローチャートである。
【図１０】実施例３における印刷装置の構成図である。
【図１１】実施例３に於ける書き込みを成功した場合のシーケンスの説明図である。
【図１２】実施例３に於ける書き込みを失敗した場合のシーケンス説明図である。
【図１３】実施例３に於ける印刷装置の動作フローチャートである。
【図１４】実施例４における印刷装置の構成図である。
【図１５】実施例４に於けるシーケンスの説明図である。
【図１６】実施例４に於ける印刷装置の動作フローチャートである。
【符号の説明】
【００９１】
１  記憶部
２  設定スイッチ
３  判定部
４  応答部
５  通信部
６  印刷制御部
６−１  設定情報書き込み手段
ｂ−１  印刷装置
ｃ  ネットワーク
（ｓ１）  指示情報
（ｓ２）  問い合わせ情報
（ｓ３）  応答判断
（ｓ４）  応答情報
（ｓ５）  書き込み情報
【図１】
2005153199.tif 000003
【図２】
2005153199.tif 000004
【図３】
2005153199.tif 000005
【図４】
2005153199.tif 000006
【図５】
2005153199.tif 000007
【図６】
2005153199.tif 000008
【図７】
2005153199.tif 000009
【図８】
2005153199.tif 000010
【図９】
2005153199.tif 000011
【図１０】
2005153199.tif 000012
【図１１】
2005153199.tif 000013
【図１２】
2005153199.tif 000014
【図１３】
2005153199.tif 000015
【図１４】
2005153199.tif 000016
【図１５】
2005153199.tif 000017
【図１６】
2005153199.tif 000018
【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
ネットワークに接続されたホスト装置と印刷装置とを有する印刷システムであって、
前記印刷装置は、
該印刷装置の設定情報を記憶する設定情報記憶手段と、
前記ホスト装置が送信する送信設定情報を前記印刷装置の設定情報として前記設定情報記憶手段に書き込むことの可否を予め設定する書き込み可否設定手段と、
前記ホスト装置から前記書き込むことの可否についての問い合わせに応じて、応答の要否を前記書き込み可否設定手段の前記設定に基づいて判定する判定手段と、
該判定手段の判定結果に基づいて前記ホスト装置へ応答する応答手段と、
前記ホスト装置から前記送信設定情報を受け入れて前記印刷装置の設定情報として前記設定情報記憶手段に書き込む設定情報書き込み手段とを備え、
前記ホスト装置は、
前記応答のあった印刷装置に前記送信設定情報を送信する設定情報送信手段を備えることを特徴とする印刷システム。
【請求項２】
ネットワークに接続されたホスト装置と印刷装置とを有する印刷システムであって、
前記印刷装置は、
該印刷装置の設定情報を記憶する設定情報記憶手段と、
前記ホスト装置が送信する送信設定情報を前記印刷装置の更新設定情報として前記設定情報記憶手段に書き込むことの可否を予め設定する書き込み可否設定手段と、
前記ホスト装置から前記書き込むことの可否についての問い合わせに応じて、応答の要否を前記書き込み可否設定手段の前記設定に基づいて判定する判定手段と、
該判定手段の判定結果に基づいて前記ホスト装置へ応答する応答手段と、
前記ホスト装置から前記送信設定情報を受け入れて前記印刷装置の更新設定情報として前記設定情報記憶手段に書き込む設定情報書き込み手段とを備え、
前記ホスト装置は、
前記応答のあった印刷装置に前記更新設定情報を送信する更新設定情報送信手段を備えることを特徴とする印刷システム。
【請求項３】
請求項１又は請求項２に記載の印刷システムに於いて、
前記印刷装置は、
前記書き込み可否設定手段に於ける前記書き込むことの可否についての設定から、経過時間を測る計時手段と、
前記経過時間と予め定められている所定の時間とを比較する比較部とを更に備え、
前記判定手段は、前記書き込み可否設定手段が設定する前記書き込みの可否と、前記比較部の比較結果に基づいて前記応答の要否を決定することを特徴とする印刷システム。
【請求項４】
請求項１又は請求項２に記載の印刷システムに於いて、
前記印刷装置は、
前記書き込み可否設定手段に於ける前記書き込むことの可否についての設定から、経過時間を測る計時手段と、
前記経過時間と、予め定められている所定の時間とを比較する比較部と、
前記書き込み可否設定手段が設定する前記書き込みの可否と、前記比較部の比較結果に基づいて前記設定情報書き込み手段が前記送信設定情報を前記設定情報記憶手段へ書き込むのを制限する書き込み制限手段とを更に備えることを特徴とする印刷システム。
【請求項５】
請求項１から請求項４の何れか１項に記載の印刷システムに於いて、
前記印刷装置は、
前記応答手段が応答したホスト装置の応答先アドレスを保持するアドレス保持部と、
前記応答先アドレスと前記設定情報書き込み手段が受け入れた送信設定情報の送信元アドレスとを比較するアドレス比較部と、
該アドレス比較部の比較結果に基づいて前記設定情報書き込み手段が前記受け入れた送信設定情報を前記設定情報記憶手段へ書き込むことのを制限する書き込み制限手段とを更に備えることを特徴とする印刷システム。
【請求項６】
ネットワークに接続される印刷装置であって、
該印刷装置の設定情報を記憶する設定情報記憶手段と、
前記ネットワークに接続された外部装置により前記設定情報記憶手段に記憶された設定情報に対する変更可否情報を設定する変更可否設定手段と、
前記外部装置から前記設定情報の変更要求があると、前記変更可否設定手段に設定された変更可否情報に基づいて前記外部装置に対する応答の要否を判断する判定手段と、
該判定手段により応答が必要と判定されると前記外部装置へ応答する応答手段と、
前記外部装置から受信された設定変更情報に基づいて前記設定情報記憶手段の内容を変更する設定情報変更手段とを備えることを特徴とする印刷装置。
【請求項７】
ネットワークに接続される印刷装置であって、
該印刷装置の設定情報を記憶する設定情報記憶手段と、
前記設定情報記憶手段に記憶された設定情報に対する変更可否情報を設定する変更可否設定手段と
前記設定情報に対する設定変更情報が入力されると、前記変更可否情報に基づいて前記設定情報記憶手段に記憶された設定情報の変更可否を判断する判断手段と、
該判断手段により設定情報の変更可であると判断された場合、前記設定変更情報に基づいて前記設定情報を変更する設定情報変更手段とを備えることを特徴とする印刷装置。